(57)【要約】【課題】カメラの裏蓋に設けられた日付写し込み機能等の電気回路に給電する電源を、カメラが大型化しないように配置する。【解決手段】日付写し込み機能等の電気回路３を有するカメラの裏蓋２が枢支されたカメラボディ１において、ボディ本体と裏蓋の電気回路との間にフレキシブルプリント基板４をヒンジ部２ａを介して設ける。また、フレキシブルプリント基板４の一部を巻いて環状部４ａを形成し、この環状部４ａに電気回路３に給電を行うコンデンサ５を配置する。【選択図】  図２
2004271706.tif 000002
【特許請求の範囲】
【請求項１】
電気回路を備えるとともにカメラボディ本体に対して軸支部によって枢支された蓋体と、前記電気回路に給電する電源とを接続する配線とを備えたカメラの実装構造において、
前記配線は、一部に環状部を形成し、
前記環状部内に前記電源を配置したことを特徴とするカメラの実装構造。
【請求項２】
前記環状部は、前記蓋体の前記カメラボディに対する回動に応じて径が変わることによって前記配線の見掛け上の長さを伸縮することを特徴とする請求項１に記載のカメラの実装構造。
【発明の詳細な説明】
【０００１】
【発明の属する技術分野】
本発明は、日付写し込み機能等の電気回路を有するカメラボディの電気回路に給電するコンデンサの実装構造に関するものである。
【０００２】
【従来の技術】
従来、カメラの発光装置を充電するためのコンデンサを、電池とともにカメラのグリップ部に配置したものがあった。（例えば、特許文献１参照。）
また、日付の写し込み装置を有するカメラの知られており、この写し込み装置をカメラに対して回動自在に枢支された裏蓋に設け、カメラ本体の基板とフレキシブル基板によって接続することも知られている（例えば、特許文献２参照。）さらに、折り畳み型の電子機器に用いるフレキシブル基板の構造として、電子機器のヒンジ内でフレキシブル基板をロール状とすることで、折り曲げ時にフレキシブル基板の配線パターンが損傷を受けることを防止した構成のものも知られている（例えば、特許文献３参照。）
【０００３】
【特許文献１】特開２０００−２３５２１９号公報（第３頁、図１）
【０００４】
【特許文献２】特開２００２−２５０９６６号公報（第３頁、図２）
【０００５】
【特許文献３】特開２００２−３６８４４０号公報（第４頁、図２）
【０００６】
【発明が解決すべき課題】
しかしながら、いずれの技術文献においても、日付写し込み機能等の電気回路に給電するためのコンデンサ等の有用な配置については開示されてはいない。
【０００７】
つまり、例えば日付写し込み機能等の電気回路をカメラ本体の裏蓋に追加して設ける場合には、この電気回路用の電源としてコンデンサ等を配置する必要があるが、カメラの内の限られたスペースに配置することはカメラの小型化の観点から困難な場合がある。
【０００８】
また、電気回路を有する裏蓋にコンデンサを配置することについては、給電部品のコストダウンを図る目的でアルミニウム電解コンデンサを採用した上で給電能力を確保しようとすると、コンデンサの容量を増大するためにコンデンサが大型化するため、単純に裏蓋内に配置するのでは不用意に裏蓋が大きくなることでカメラの小型化に影響を与えることとなる。
【０００９】
本発明は、以上のような問題点に鑑み、カメラの大型化を極力阻止して日付写し込み機能等の電気回路へ給電する電源を配置することのできるカメラの実装構造を提供することを目的とする。
【００１０】
【課題を解決するための手段】
上記目的のため請求項１による本願発明では、電気回路（３）を備えるとともにカメラボディ本体（１）に対して軸支部（２ａ）によって枢支された蓋体（２）と、電気回路に給電する電源（５）とを接続する配線（４）とを備えたカメラの実装構造において、配線（４）は、一部に環状部（４ａ）を形成し、この環状部内に電源（５）を配置することとした。
【００１１】
また、請求項２による本願発明では、請求項１のカメラの実装構造において、環状部（４ａ）は、蓋体（２）のカメラボディ（１）に対する回動に応じて径が変わることによって配線（４）の見掛け上の長さを伸縮するものである。
【００１２】
【発明の実施の形態】
図１は、本願発明の実施の形態による実装構造を有するカメラの外観を示す図である。カメラボディ１の背面部には、フィルムを装填するためにボディ１に対して開閉可能な裏蓋２がヒンジ部２ａで軸支されて回動自在に設けられている。この裏蓋２は、表面に表示パネルを有する日付写し込み装置等の電気回路３を備えている。
【００１３】
図２は、カメラボディ１の裏蓋２を軸支するヒンジ部２ａ周りの概略的な構成を示す腰部断面図である。（ａ）はカメラボディ１に対して裏蓋２を開いた状態を示し、（ｂ）は裏蓋２を閉じた状態を示す。裏蓋２は、内面側に配置されたカバー２ｂとの空間に、電気回路３に接続されたフレキシブルプリント基板４を備えている。このフレキシブルプリント基板４は、ヒンジ部２ａを介してカメラボディ１の外装パネル１ａと本体部１ｂとの空間に延設される。この外装パネル１ａと本体部１ｂとの空間において、フレキシブルプリント基板４の端部は図３に閉めるように環状に巻き取られて緩衝部４ａを形成している。尚、図２（ｂ）に示すような裏蓋２を閉じた状態では、図２（ａ）に示すような裏蓋２を開いた状態に比べてフレキシブルプリント基板４の緩衝部４ａは弛んだ状態であるが、裏蓋２を開けることにより、ヒンジ部２ａの径に応じた長さだけボディ１外部へ引き出されて緩衝部４ａのロール径が小さくなるようになっている。この構成により裏蓋２の開閉によるフレキシブルプリント基板４の見掛け上の長さを伸縮でき、フレキシブルプリント基板４が引っ張られることもなく、また弛みも吸収されることになり、フレキシブルプリント基板への負荷が低減されることになる。
【００１４】
また、フレキシブルプリント基板４の環状の緩衝部４ａ内にはコンデンサ５が配置され、その端子５ａは、図４に示すようにフレキシブルプリント基板４上の配線パターンに接続されて電気回路３への給電を行う。さらに、フレキシブルプリント基板４のカメラボディ１内の端部は、カメラボディ内に設けられた電気回路に接続されている。
【００１５】
上記実施の形態では、コンデンサ５をフレキシブルプリント基板４に直接実装する構成としたが、図５に示すようにコンデンサ５を緩衝部４ａ内に配置するものであれば、フレキシブルプリント基板４とは別の基板６に端子５ａで接続する構成としてもよい。
【００１６】
また、フレキシブルプリント基板の緩衝部４ａはカメラボディ１の内部に配置するものに限らず、スペース的な余裕さえ有れば裏蓋２の内部に配置してもよい。この場合、フレキシブルプリント基板の緩衝部を利用してコンデンサを配置するため、空間効率が極めて向上することになる。
【００１７】
尚、裏蓋に設けた電気回路は日付写し込み装置の例を挙げたが、デジタルスチルカメラのような液晶表示モニタであっても構わないことは言うまでもない。
【００１８】
【発明の効果】
以上のように本発明によれば、裏蓋の電気回路とカメラボディ本体とを接続する配線の一部に環状部を形成し、この環状部内に電気回路に給電するための電源を配置する構成としたため、裏蓋の開閉による配線の伸縮を緩衝するための緩衝部を設けるスペースを有効に利用でき、不用意にカメラを大型化することなく、カメラの小型化を達成することが可能となる。
【図面の簡単な説明】
【図１】本願発明の実施の形態による実装構造を有するカメラの外観を示す図
【図２】カメラボディ１の裏蓋２を軸支するヒンジ部２ａ周りの概略的な構成を示す腰部断面図
【図３】フレキシブルプリント基板の緩衝部を示す図
【図４】フレキシブルプリント基板の緩衝部内にコンデンサを配置した構成を示す図
【図５】フレキシブルプリント基板の緩衝部内にコンデンサを配置した別の構成を示す図
【符号の説明】
１…カメラボディ
２…裏蓋
３…電気回路
４…フレキシブルプリント基板
４ａ…緩衝部
５…コンデンサ
【図１】
2004271706.tif 000003
【図２】
2004271706.tif 000004
【図３】
2004271706.tif 000005
【図４】
2004271706.tif 000006
【図５】
2004271706.tif 000007